(57)【要約】【課題】安全性に優れ、着脱が容易であり、フロアカーペットの汚れを抑制し、かつ耐久性のあるフロアマット用固定装置を提供する。【解決手段】車室に配置されたフロアカーペット１にフロアマット３を固定するためのフロアマット用固定装置１０であって、変形可能な袋体の内部に流体が充填された係合部材２０、及び係合部材２０を収容する収容部材３０を備え、フロアカーペット１に取り付けられる第１クリップ１１と、係合部材２０側に突出した押圧部４０、及び係合部材２０側に向けて開口した係合凹部４１を備え、フロアマット３に取り付けられる第２クリップ１２と、を備え、係合部材２０は、押圧部４０によって押圧される被押圧部２２と、係合凹部４１に向かい伸長可能な伸長部２３と、伸長部２３の先端側に設けられた係合部２４とを備え、被押圧部２２が押圧されることで流体に掛る圧力により伸長部２３が伸長し、係合部２４が係合凹部４１に係合する。【選択図】図１１
2018188067.tif 000002
【特許請求の範囲】
【請求項１】
車室に配置されたフロアカーペットにフロアマットを固定するためのフロアマット用固定装置であって、
変形可能な袋体の内部に流体が充填された係合部材、及び前記係合部材を収容する収容部材を備え、前記フロアカーペットに取り付けられる第１クリップと、
前記係合部材側に突出した押圧部、及び前記係合部材側に向けて開口した係合凹部を備え、前記フロアマットに取り付けられる第２クリップと、を備え、
前記係合部材は、前記押圧部によって押圧される被押圧部と、前記係合凹部に向かい伸長可能な伸長部と、前記伸長部の先端側に設けられた係合部とを備え、
前記被押圧部が押圧されることで前記流体に掛る圧力により前記伸長部が伸長し、前記係合部が前記係合凹部に係合する
ことを特徴とするフロアマット用固定装置。
【請求項２】
請求項１に記載のフロアマット用固定装置において、
前記被押圧部は環状であり、前記伸長部は前記被押圧部の中心に配置されている
ことを特徴とするフロアマット用固定装置。
【請求項３】
請求項１又は請求項２に記載のフロアマット用固定装置において、
前記被押圧部の第２クリップ部側の全面を覆うように配置された受圧部材が設けられている
ことを特徴とするフロアマット用固定装置。
【請求項４】
請求項１から請求項３の何れか一項に記載のフロアマット用固定装置において、
前記収容部材は、前記被押圧部に対向する領域に前記押圧部が挿通するガイド孔が設けられている
ことを特徴とするフロアマット用固定装置。
【請求項５】
請求項１から請求項４の何れか一項に記載のフロアマット用固定装置において、
前記収容部材は、開口が前記係合凹部に対向した筒状の誘導部が設けられ、
前記伸長部は前記誘導部内を伸長する
ことを特徴とするフロアマット用固定装置。
【請求項６】
請求項１から請求項５の何れか一項に記載のフロアマット用固定装置において、
前記係合凹部の底部は、前記第１クリップ側に向けて撓み変形可能である
ことを特徴とするフロアマット用固定装置。
【発明の詳細な説明】
【技術分野】
【０００１】
本発明は、車両用のフロアカーペットにフロアマットを固定するための固定装置に関する。
【背景技術】
【０００２】
従来の車両用のフロアマット用固定装置は、フロアカーペットとフロアマットのそれぞれにクリップを取り付け、それらのクリップ同士を係合させることで、フロアカーペットにフロアマットを固定している。クリップ同士の係合する構成としては、例えば、各クリップに係合爪及び係合穴をそれぞれ設け、それらを係合させるものが知られている（例えば、特許文献１参照）。
【０００３】
しかしながら、フロアカーペットにフロアマットを取り付ける前においては、クリップの係合爪が露出している。このため、係合爪により手先などが負傷しないような対策が望まれる。また、係合爪を係合穴に係合したクリップ同士を取り外す際には、相応の力を掛ける必要があり、取り外しが容易であるとはいえない。また、フロアマットにクリップを取り付けるための取付孔が形成されているため、砂などがその開口部を通ってフロアカーペットを汚してしまう虞がある。さらには、クリップがフロアマットから突出しているため、足や荷物などがあたってクリップが破損する虞がある。
【先行技術文献】
【特許文献】
【０００４】
【特許文献１】特開２００５−２０６００９号公報
【発明の概要】
【発明が解決しようとする課題】
【０００５】
本発明は、このような事情に鑑みてなされたもので、安全性に優れ、着脱が容易であり、フロアカーペットの汚れを抑制し、かつ耐久性のあるフロアマット用固定装置を提供することを目的とする。
【課題を解決するための手段】
【０００６】
上記課題を解決する本発明の第１の態様は、車室に配置されたカーペットにフロアマットを固定するためのフロアマット用固定装置であって、変形可能な袋体の内部に流体が充填された係合部材、及び前記係合部材を収容する収容部材を備え、前記カーペットに取り付けられる第１クリップと、前記係合部材側に突出した押圧部、及び前記係合部材側に向けて開口した係合凹部を備え、前記フロアマットに取り付けられる第２クリップと、を備え、前記係合部材は、前記押圧部によって押圧される被押圧部と、前記係合凹部に向かい伸長可能な伸長部と、前記伸長部の先端側に設けられた係合部とを備え、前記被押圧部が押圧されることで前記流体に掛る圧力により前記伸長部が伸長し、前記係合部が前記係合凹部に係合することを特徴とするフロアマット用固定装置にある。
【０００７】
第１の態様では、第１クリップ及び第２クリップをフロアカーペット及びフロアマットにそれぞれ取り付け、第１クリップと第２クリップとを係合させることでフロアカーペットにフロアマットを固定することができる。
【０００８】
係合部材は、変形可能な袋体に流体が充填されたものであり、柔らかく弾力性のある部材である。したがって、フロアマット用固定装置は、フロアカーペットにフロアマットを取り付ける前において、係合部材によって手先などの負傷をより確実に回避することができ、安全性に優れている。第１クリップと第２クリップとを取り外す際には、柔らかい係合部材を変形させれば、係合部材が係合凹部から排出されて係合が解除される。これにより、より小さな力で容易に係合部材を係合凹部から取り外すことができ、着脱が容易である。フロアマットに第２クリップを取り付けるための取付孔は、第２クリップにより覆われる。このため、砂などが取付孔を通ってフロアカーペットを汚してしまうことを抑制できる。フロアマットから係合部材が突出していても、柔らかく弾力性があるので、足や荷物があたっても破損しにくく、耐久性のある構造となっている。
【０００９】
本発明の第２の態様は、第１の態様に記載のフロアマット用固定装置において、前記被押圧部は環状であり、前記伸長部は前記被押圧部の中心に配置されていることを特徴とするフロアマット用固定装置にある。
【００１０】
第２の態様では、伸長部を良好に伸長させることができ、係合部を係合凹部により確実に係合させることができる。また、被押圧部が全体的に均等に伸長するので、押圧部が被押圧部により押し上げられ、第２クリップをより容易に取外しできる。
【００１１】
本発明の第３の態様は、第１又は第２の態様に記載のフロアマット用固定装置において、前記被押圧部の第２クリップ部側の全面を覆うように配置された受圧部材が設けられていることを特徴とするフロアマット用固定装置にある。
【００１２】
第３の態様では、押圧部から受けた圧力を、被押圧部の上面全体に均等に掛けることができ、被押圧部を均等に収縮させることができる。
【００１３】
本発明の第４の態様は、第１から第３の何れか一つの態様に記載のフロアマット用固定装置において、前記収容部材は、前記被押圧部に対向する領域に前記押圧部が挿通するガイド孔が設けられていることを特徴とするフロアマット用固定装置にある。
【００１４】
第４の態様では、ガイド孔で押圧部を案内するので、より確実に、押圧部を被押圧部に押圧させることができる。
【００１５】
本発明の第５の態様は、第１から第４の何れか一つの態様に記載のフロアマット用固定装置において、前記収容部材は、開口が前記係合凹部に対向した筒状の誘導部が設けられ、前記伸長部は前記誘導部内を伸長することを特徴とするフロアマット用固定装置にある。
【００１６】
第５の態様では、伸長部を誘導部によって係合凹部へ向けてより確実に伸長させることができる。
【００１７】
本発明の第６の態様は、第１から第５の何れか一つの態様に記載のフロアマット用固定装置において、前記係合凹部の底部は、前記第１クリップ側に向けて撓み変形可能であることを特徴とするフロアマット用固定装置にある。
【００１８】
第６の態様では、第１クリップから第２クリップを容易に取り外すことができる。
【発明の効果】
【００１９】
本発明によれば、安全性に優れ、着脱が容易であり、フロアカーペットの汚れを抑制し、かつ耐久性のあるフロアマット用固定装置が提供される。
【図面の簡単な説明】
【００２０】
【図１】フロアマット用固定装置の斜視図である。
【図２】フロアマット用固定装置の平面図である。
【図３】フロアマット用固定装置の側面図である。
【図４】図２のＡ−Ａ線断面図である。
【図５】図３のＢ−Ｂ線断面図である。
【図６】図３のＣ−Ｃ線断面図である。
【図７】係合部材の斜視図である。
【図８】係合部材の断面図である。
【図９】第２クリップの断面図である。
【図１０】フロアマット用固定装置の使用状態を示す断面図である。
【図１１】フロアマット用固定装置の使用状態を示す断面図である。
【発明を実施するための形態】
【００２１】
以下、本発明を実施するための形態について説明する。なお、実施形態の説明は例示であり、本発明は以下の説明に限定されない。
【００２２】
〈実施形態１〉
図１はフロアマット用固定装置（以降、固定装置と称する）の斜視図であり、図２は固定装置の平面図であり、図３は固定装置の側面図であり、図４は図２のＡ−Ａ線断面図であり、図５は図３のＢ−Ｂ線断面図であり、図６は図３のＣ−Ｃ線断面図であり、図７は係合部材の斜視図であり、図８は係合部材の断面図であり、図９は第２クリップの断面図である。なお、図２は第２クリップの図示を省略してある。
【００２３】
図１から図６に示すように、本実施形態の固定装置１０は、第１クリップ１１と第２クリップ１２とを備えている。第１クリップ１１及び第２クリップ１２の組は、一組以上がフロアカーペット及びフロアマットに取り付けられる。そして、各組の第１クリップ１１と第２クリップ１２とが係合することで、フロアカーペットにフロアマットが固定される。
【００２４】
第１クリップ１１は、係合部材２０、及び収容部材３０を備え、フロアカーペット（図示せず）に取り付けられる部材である。
【００２５】
係合部材２０は、図７及び図８に示すように、変形可能な袋体２５の内部に流体としてジェル２６が充填された部材である。このような袋体２５の材料としては、例えば、軟質塩化ビニルを挙げることができるが、これに限定されない。また、ジェル２６の材料としては例えば、ポリアクリル酸ナトリウムを挙げることができるが、これに限定されない。また流体として水や気体も適用できる。
【００２６】
係合部材２０は、円柱状のベース部２１と、ベース部２１の上部側（第２クリップ１２側）に設けられた円筒状の被押圧部２２と、円柱状の伸長部２３と、伸長部２３の先端に形成された係合部２４とを備えている。
【００２７】
ベース部２１は、後述する収容部材３０の収容部３１に収容される部分である。ベース部２１は、収容部３１の内面によって規制されるのでほぼ変形しない。
【００２８】
被押圧部２２は、ベース部２１の径よりも若干短い外径を有する円筒状に形成されている。被押圧部２２は、円周面が蛇腹状に形成されている。このような形状にすることで被押圧部２２は、高さ方向に伸縮可能となっている。
【００２９】
伸長部２３は、ベース部２１の上部側であり、かつ、被押圧部２２の内側に、円柱状であり伸長可能に形成されている。具体的には伸長部２３の円周面が蛇腹状に形成されている。このような形状にすることで伸長部２３は、高さ方向に伸縮可能となっている。
【００３０】
係合部２４は、後述する係合凹部４１に係合する部分であり、本実施形態では、伸長部２３の先端部分として形成されている。
【００３１】
係合部材２０は、これらのベース部２１、被押圧部２２、及び伸長部２３が一体的に形成された袋体２５の内部にジェル２６が充填されたものである。このため、被押圧部２２が外部の圧力によって収縮すると、当該圧力はジェル２６を介して伸長部２３の内部に作用し、伸長部２３を高さ方向に伸長させる。逆に、伸長部２３が外部の圧力によって収縮すると、当該圧力はジェル２６を介して被押圧部２２の内部に作用し、被押圧部２２を高さ方向に伸長させる。なお、係合部材２０（ベース部２１）には、収容部３１に設けられた支柱３２が挿通する貫通部２７が設けられている（図６参照）。
【００３２】
図１から図６に示すように、収容部材３０は、係合部材２０を収容する容器である。材料に特に限定はないが例えば樹脂から形成されている。また、収容部材３０は、上側（第２クリップ１２側）に円形に開口した凹部である収容部３１を備えている。収容部３１には、開口から被押圧部２２と伸長部２３が突出し、ベース部２１が収容部３１に収容されている。
【００３３】
収容部３１には、開口の内側に突出したフランジ部３１ａが形成されている。また、収容部３１には、４本の支柱３２が設けられている。この支柱３２は、ガイド部材３３を支持している。ガイド部材３３は、第１ガイド部３４、第２ガイド部３５、第３ガイド部３６を備えている。
【００３４】
第１ガイド部３４は、円環状に形成された平板状の部材である。第１ガイド部３４は、支柱３２に支持されている。第２ガイド部３５は、円筒状に形成された部材であり、第１ガイド部３４の上部に配置されている。第３ガイド部３６は、円環状に形成された平板状の部材である。また、第３ガイド部３６には厚さ方向に貫通した第１ガイド孔３７が複数設けられている。このような第１ガイド部３４、第２ガイド部３５、及び第３ガイド部３６は、何れも収容部３１と同心円状に配置されており、中央部分が連通した第２ガイド孔３８を形成している。
【００３５】
収容部材３０の収容部３１には、貫通部２７が支柱３２に挿通された状態で係合部材２０（ベース部２１）が収容されている。収容部３１のフランジ部３１ａと、ガイド部材３３の第１ガイド部３４との間の隙間Ｓから、係合部材２０の被押圧部２２が突出している。そして、ガイド部材３３の第２ガイド孔３８の内部に係合部材２０の伸長部２３が収容されている。
【００３６】
また、係合部材２０の被押圧部２２の上側（第２クリップ１２側）には、受圧部材３９が設けられている。受圧部材３９は、円環状の平板部材であり、被押圧部２２の上面に配置されている。上述した第１ガイド孔３７は、受圧部材３９を介して被押圧部２２に対向するように第３ガイド部３６に形成されている。
【００３７】
図９に示すように、第２クリップ１２は、押圧部４０及び係合凹部４１を備え、フロアマット（図示せず）に取り付けられる部材である。本実施形態では、円環状の平板部材であって開口部４４を有する取付板４５の下面側に、下方側（第１クリップ１１側）へ突出する柱状の押圧部４０が４本形成されている。押圧部４０は、第１ガイド孔３７に挿通するよう形成されており、押圧部４０の先端が受圧部材３９を介して被押圧部２２に接触するようになっている。
【００３８】
また、取付板４５の上面側には、弾性変形可能な材料からなる弾性部材４６が開口部４４を覆っている。弾性部材４６は、常時上側（第１クリップ１１とは反対側）に凸状となっており、取付板４５と弾性部材４６とで、開口部４４を有する係合凹部４１が形成されている。弾性部材４６は、上面側から押圧することで第１クリップ１１側に向けて撓み変形可能となっている。係合凹部４１は、第２ガイド孔３８に収容された係合部材２０の伸長部２３や係合部２４に対向する位置に形成されている。
【００３９】
次に、図１０及び図１１を用いて、固定装置によるフロアカーペットとフロアマットの固定について説明する。図１０及び図１１は、フロアマット用固定装置の使用状態を示す断面図である。
【００４０】
図１０に示すように、車室に配置されたフロアカーペット１には、上面側に開口した第１取付孔２が設けられている。また、フロアカーペット１に固定されるフロアマット３は、厚さ方向に貫通した第２取付孔４が設けられている。
【００４１】
第１クリップ１１は、第１取付孔２内に固定されている。また、第２クリップ１２は、フロアマット３の上面側から押圧部４０を第２取付孔４に挿通させ、取付板４５が第２取付孔４の開口縁部に固定されている。
【００４２】
次に、図１１に示すように、フロアマット３をフロアカーペット１に固定する際には、第１クリップ１１の第１ガイド孔３７に、第２クリップ１２の押圧部４０を挿通させる。そして、ガイド部材３３（第３ガイド部３６）によって規制されるまで、取付板４５を押し下げる。
【００４３】
押圧部４０は、受圧部材３９を介して係合部材２０の被押圧部２２を収縮させる。被押圧部２２が押圧されて収縮することで、係合部材２０の内部のジェル２６に掛る圧力により、伸長部２３が係合凹部４１へ向けて伸長する。そして、伸長部２３の先端の係合部２４が係合凹部４１に係合する。本実施形態では、係合部２４が係合凹部４１内で拡張し、係合部２４の端部が取付板４５の開口部４４に係合する。
【００４４】
このようにして係合部材２０と係合凹部４１とが係合することで、第１クリップ１１及び第２クリップ１２は、フロアマット３をフロアカーペット１に固定する。
【００４５】
また、特に図示しないが、フロアマット３をフロアカーペット１から取外すときは、係合凹部４１を構成する弾性部材４６を第１クリップ１１へ向けて押圧する。弾性部材４６は、第１クリップ１１へ向けて変形し、係合部２４を係合凹部４１から外へ押し出す。これにより、係合部２４と係合凹部４１との係合が解除され、伸長部２３が収縮する。伸長部２３が押圧されて収縮することで、係合部材２０の内部のジェル２６に掛る圧力により、被押圧部２２が第２クリップ１２側へ向けて伸長する。被押圧部２２が伸長することで、受圧部材３９を介して押圧部４０が押し上げられ、第２クリップ１２が第１クリップ１１から取り外される。
【００４６】
以上に説明した本実施形態の固定装置１０によれば、第１クリップ１１及び第２クリップ１２をフロアカーペット１及びフロアマット３にそれぞれ取り付け、第２クリップ１２を第１クリップ１１へ向けて押し下げることで、それらの第１クリップ１１と第２クリップ１２とを係合させることができ、フロアカーペット１にフロアマット３を固定することができる。
【００４７】
第１クリップ１１に設けられた係合部材２０は、変形可能な袋体２５にジェル２６が充填されたものであり、柔らかく弾力性のある部材である。したがって、本実施形態の固定装置１０は、フロアカーペット１にフロアマット３を取り付ける前において、係合部材２０によって手先などの負傷をより確実に回避することができ、安全性に優れている。
【００４８】
第１クリップ１１と第２クリップ１２とを取り外す際には、柔らかい係合部２４を変形させれば、係合部２４が係合凹部４１から排出されて係合が解除される。従来のクリップにおいては、係合爪を係合穴から取り外すために相応の力を要したが、本実施形態の固定装置１０は、より小さな力で容易に係合部２４を係合凹部４１から取り外すことができ、着脱が容易である。
【００４９】
フロアマット３に第２クリップ１２を取り付けるための第２取付孔４は、第２クリップ１２により覆われている。このため、本実施形態の固定装置１０は、砂などが第２取付孔４を通ってフロアカーペット１を汚してしまうことを抑制できる。
【００５０】
フロアマット３から突出した係合凹部４１は、ジェル２６によって膨張した係合部２４を収容している。したがって、本実施形態の固定装置１０は、フロアマット３から突出していても、柔らかく弾力性があり、また半球状であるため、足や荷物があたっても破損しにくく、耐久性のある構造となっている。
【００５１】
本実施形態の固定装置１０は、被押圧部２２は環状であり、伸長部２３は被押圧部２２の中心に配置されている。これにより、被押圧部２２に掛けた圧力がジェル２６を介して伸長部２３に集中するので、伸長部２３を良好に伸長させることができ、係合部２４を係合凹部４１により確実に係合させることができる。また、伸長部２３に掛けた圧力がジェル２６を介して被押圧部２２にバランスよく分散する。これにより、被押圧部２２が全体的に均等に伸長するので、押圧部４０がより確実に被押圧部２２により押し上げられ、第２クリップ１２をより容易に取外しできる。
【００５２】
本実施形態の固定装置１０は、被押圧部２２の上面側の全面を覆うように配置された受圧部材３９が設けられている。これにより、押圧部４０から受けた圧力を、被押圧部２２の上面全体に均等に掛けることができ、被押圧部２２を均等に収縮させることができる。
【００５３】
本実施形態の固定装置１０は、収容部材３０に、被押圧部２２に対向する領域に押圧部４０が挿通する第１ガイド孔３７が設けられている。これにより、押圧部４０を被押圧部２２に押圧させることができる。そして、その結果として係合部２４を係合凹部４１に係合させることができる。
【００５４】
本実施形態の固定装置１０は、収容部材３０に、開口が係合凹部４１に対向した筒状の誘導部として第２ガイド孔３８が設けられている。そして、係合部材２０の伸長部２３は、第２ガイド孔３８内を伸長する。これにより、伸長部２３を係合凹部４１へ向けてより確実に伸長させることができる。その結果として係合部２４を係合凹部４１により確実に係合させることができる。
【００５５】
本実施形態の固定装置１０は、係合凹部４１の底部は、第１クリップ１１側に向けて撓み変形可能である。これにより、係合凹部４１を押圧することで、容易に係合凹部４１から係合部２４を排除し、それらの係合を解除することができる。すなわち、第１クリップ１１から第２クリップ１２を容易に取り外すことができる。
【００５６】
〈他の実施形態〉
以上、本発明の一実施形態について説明したが、勿論、本発明は、上述の実施形態に限定されるものではなく、本発明の趣旨から逸脱しない範囲内で、構成の付加、省略、置換、およびその他の変更が可能である。
【００５７】
例えば、係合部材２０は、実施形態１で説明した構成に限定されない。例えば、被押圧部２２や伸長部２３は円柱状である必要はない。また、係合部２４は、伸長部２３の先端部分として構成されていたが、これに限定されない。例えば、伸長部２３の先端側に、伸長部２３とは別部材として弾性材料からなる係合部を設けてもよい。つまり、係合部自体は、伸長する必要はなく、伸長部２３が伸長し、その先端に設けられた別部材の係合部が係合凹部４１に係合する構成であってもよい。
【００５８】
４つの押圧部４０が受圧部材３９を介して被押圧部２２を押圧する構成であったが、これに限定されない。例えば、受圧部材３９を設けずに、被押圧部２２の上面全体に接触するような接触面を有する押圧部としてもよい。
【００５９】
押圧部４０や伸長部２３をガイドする部材として、第１ガイド孔３７及び第２ガイド孔３８を有するガイド部材３３を設けたが、本発明の必須の構成ではない。また、係合凹部４１の底部は第１クリップ１１側に向けて撓み変形可能としたが、これに限定されない。
【符号の説明】
【００６０】
１…フロアカーペット、３…フロアマット、１０…固定装置、１１…第１クリップ、１２…第２クリップ、２０…係合部材、２１…ベース部、２２…被押圧部、２３…伸長部、２４…係合部、２５…袋体、２６…ジェル（流体）、３０…収容部材、３７…第１ガイド孔（ガイド孔）、３８…第２ガイド孔（誘導部）、３９…受圧部材、４０…押圧部、４１…係合凹部
【図１】
2018188067.tif 000003
【図２】
2018188067.tif 000004
【図３】
2018188067.tif 000005
【図４】
2018188067.tif 000006
【図５】
2018188067.tif 000007
【図６】
2018188067.tif 000008
【図７】
2018188067.tif 000009
【図８】
2018188067.tif 000010
【図９】
2018188067.tif 000011
【図１０】
2018188067.tif 000012
【図１１】
2018188067.tif 000013